(57)【要約】【課題】持運び、組み立てが簡単、容易であって、かつ速やかにできること、または再利用可能で、清潔に保てる樹脂製ベッドを提供する。【解決手段】樹脂製ベッド１００は、支持板１３と、支持板１３の上に形成され、錐台形状を有する複数の支持ブロック１５と、を有する複数のユニット１０を備える。支持ブロック１５は、錐体面１６ａ、１６ｂと、上底１７ａ、１７ｂと、を有する。複数のユニット１０は、支持ブロック１５の配列方向を互いに９０度違えて２段に重ねられた場合、１段目に配置されたユニット１０の支持ブロック１５の上底１７ａ、１７ｂは、２段目に配置されたユニット１０の支持板１３の下面に当接する。【選択図】図１
0003228667.tif 000002
【実用新案登録請求の範囲】
【請求項１】
支持板と、
前記支持板の上に形成され、錐台形状を有する複数の支持ブロックと、
を有する複数のユニットを備え、
前記支持ブロックは、錐体面と、上底と、を有し、
複数の前記ユニットは、前記支持ブロックの配列方向を互いに９０度違えて２段に重ねられた場合、１段目に配置された前記ユニットの前記支持ブロックの前記上底は、少なくとも一部が２段目に配置された前記ユニットの前記支持板の下面に当接する、
ことを特徴とする樹脂製ベッド。
【請求項２】
２段目に配置された前記ユニットの上に配置される平板状の天板を備える、
ことを特徴とする請求項１に記載の樹脂製ベッド。
【請求項３】
２段目に配置される前記ユニットは、１段目に配置される前記ユニットと同一の大きさおよび形状を有し、１段目に配置される前記ユニットに対して水平方向に９０度回転して配置される、
ことを特徴とする請求項１または２に記載の樹脂製ベッド。
【請求項４】
錐台形状を有する前記支持ブロックは、中空であり、前記上底に大凸部が形成され、下底は開放され、
１段目に配置される前記ユニットの上に２段目に配置される前記ユニットが重ねられると、
１段目に配置された前記ユニットの大凸部は、２段目に配置された前記ユニットの前記支持ブロックの中空部分に嵌まる、
ことを特徴とする請求項１から３の何れか１項に記載の樹脂製ベッド。
【請求項５】
錐台形状を有する前記支持ブロックは、前記上底に小凸部が形成され、
前記ユニットの前記支持板の前記下面に前記小凸部が嵌まる穴を有し、
１段目に配置される前記ユニットの上に２段目に配置される前記ユニットが重ねられると、
１段目に配置された前記ユニットの前記小凸部は、２段目に配置された前記ユニットの前記支持板の前記下面に設けられた穴に嵌まる、
ことを特徴とする請求項１から４の何れか１項に記載の樹脂製ベッド。
【請求項６】
錐台形状を有する前記支持ブロックは、中空であり、下底は開放され、前記ユニットが前記支持ブロックの配列方向を同じにして重ねられると、下の段の前記ユニットの前記支持ブロックが、上の段の前記ユニットの前記支持ブロックの中に嵌まる、
ことを特徴とする請求項１から５の何れか１項に記載の樹脂製ベッド。
【請求項７】
前記ユニットは、第１のユニットと、第２のユニットと、を含み、
前記第１のユニットは、略正方形の形状を有し、前記第２のユニットは、長辺が、前記第１のユニットの辺の長さと同じ長さであり、短辺の長さが前記第１のユニットの辺の長さの略２分の１である長方形の形状を有する、
ことを特徴とする請求項１から６の何れか１項に記載の樹脂製ベッド。
【請求項８】
１段目には、第１のユニットと、第１のユニットを挟んで一組の第２のユニットと、が配置され、２段目には、２つの第１のユニットが配置される、
ことを特徴とする請求項７に記載の樹脂製ベッド。
【請求項９】
１段目には、２つの第１のユニットが配置され、２段目には、第１のユニットと、第１のユニットを挟んで一組の第２のユニットと、が配置される、
ことを特徴とする請求項７に記載の樹脂製ベッド。
【請求項１０】
前記支持板に対して垂直な方向から見て、長方形の形状を有する樹脂製ベッドであって、
前記支持板に対して垂直な方向から見て、前記支持ブロックは、第１の方向における長さが前記第１の方向に垂直な第２の方向における長さより長く、前記第１の方向を山の方向とし、
１段目に配置された前記ユニットの山の方向が短手方向であり、２段目に配置された前記ユニットの山の方向が長手方向である、
ことを特徴とする請求項１から９の何れか１項に記載の樹脂製ベッド。
【請求項１１】
前記支持板に対して垂直な方向から見て、長方形の形状を有する樹脂製ベッドであって、
前記支持板に対して垂直な方向から見て、前記支持ブロックは、第１の方向における長さが前記第１の方向に垂直な第２の方向における長さより長く、前記第１の方向を山の方向とし、
１段目に配置された前記ユニットの山の方向が長手方向であり、２段目に配置された前記ユニットの山の方向が短手方向である、
ことを特徴とする請求項１から９の何れか１項に記載の樹脂製ベッド。
【考案の詳細な説明】
【技術分野】
【０００１】
本考案は、樹脂製ベッドに関する。
【背景技術】
【０００２】
災害時などでは、小中学校の体育館などに避難することが行われている。一般にホコリやアレルゲン物質など汚れた空気は重く、床上３０ｃｍにたまりやすい。その床面に横臥して、呼吸するとなると、この最も汚れた空気を吸うことになる。さらに、夜間にトイレに行く人の足音も、床面にそのまま寝ていたら、足音がダイレクトに伝わってくる。
【０００３】
このため、段ボール製の簡易ベッドが用いられている。段ボール製の簡易ベッドは、複数の段ボール箱を並べ、その上にマットレス等を載置して用いる。段ボールは、紙により作成されているので、湿度で強度が低下するという問題がある。また、汚れた場合、水洗い等ができないので、複数回使用することが困難である。
【０００４】
このため、水洗い等が可能な樹脂製の簡易ベッドが用いられている。例えば、特許文献１は、複数の籠状ブロックから成る構造物と補強枠と最上段が平面状になるような天板を備えたユニットを開示する。籠状ブロックは、開口の周縁に形成され、複数の突起部を備えた枠状のフランジ部と外側に傾斜する側壁とを備える。補強枠は、フランジ部に対応する形状を有し、フランジ部に突起部を受け入れる窪状部が設けられた少なくとも四個の枠部分を連結して形成され、突起部を窪状部に挿入して籠状ブロックから成る構造物と補強枠とを接続する場合において、二個の補強枠を跨いで構造物を補強枠に接続することにより複数の補強枠が水平方向に連結される。
【先行技術文献】
【特許文献】
【０００５】
【特許文献１】特開２０１９−１４１２２８号公報
【考案の概要】
【考案が解決しようとする課題】
【０００６】
特許文献１に記載の樹脂製の簡易ベッドは、籠状ブロックから成る構造物と補強枠とを多数接続することにより１つの簡易ベッドが作成される。このため、籠状ブロックから成る構造物と補強枠と接続することに手間が掛かり、容易に組み立てることができない等問題がある。また、１つの簡易ベッドあたり、多数の籠状ブロックと補強枠が必要なため、容易に持ち運ぶことができないという問題がある。
【０００７】
本考案は、上述した事情に鑑みてなされたものであり、持運び、組み立てが簡単、容易であって、かつ速やかにできること、または再利用可能で、清潔に保てる樹脂製ベッドを提供することを目的とする。
【課題を解決するための手段】
【０００８】
本考案の目的を達成するため、本考案に係る樹脂製ベッドの一様態は、
支持板と、
前記支持板の上に形成され、錐台形状を有する複数の支持ブロックと、
を有する複数のユニットを備え、
前記支持ブロックは、錐体面と、上底と、を有し、
複数の前記ユニットは、前記支持ブロックの配列方向を互いに９０度違えて２段に重ねられた場合、１段目に配置された前記ユニットの前記支持ブロックの前記上底は、少なくとも一部が２段目に配置された前記ユニットの前記支持板の下面に当接する、
ことを特徴とする。
【０００９】
２段目に配置された前記ユニットの上に配置される平板状の天板を備えるとよい。
【００１０】
２段目に配置される前記ユニットは、１段目に配置される前記ユニットと同一の大きさおよび形状を有し、１段目に配置される前記ユニットに対して水平方向に９０度回転して配置されるとよい。
【００１１】
錐台形状を有する前記支持ブロックは、中空であり、前記上底に大凸部が形成され、下底は開放され、
１段目に配置される前記ユニットの上に２段目に配置される前記ユニットが重ねられると、
１段目に配置された前記ユニットの大凸部は、２段目に配置された前記ユニットの前記支持ブロックの中空部分に嵌まるとよい。
【００１２】
錐台形状を有する前記支持ブロックは、前記上底に小凸部が形成され、
前記ユニットの前記支持板の前記下面に前記小凸部が嵌まる穴を有し、
１段目に配置される前記ユニットの上に２段目に配置される前記ユニットが重ねられると、
１段目に配置された前記ユニットの前記小凸部は、２段目に配置された前記ユニットの前記支持板の前記下面に設けられた穴に嵌まるとよい。
【００１３】
錐台形状を有する前記支持ブロックは、中空であり、下底は開放され、前記ユニットが前記支持ブロックの配列方向を同じにして重ねられると、下の段の前記ユニットの前記支持ブロックが、上の段の前記ユニットの前記支持ブロックの中に嵌まるとよい。
【００１４】
前記ユニットは、第１のユニットと、第２のユニットと、を含み、
前記第１のユニットは、略正方形の形状を有し、前記第２のユニットは、長辺が、前記第１のユニットの辺の長さと同じ長さであり、短辺の長さが前記第１のユニットの辺の長さの略２分の１である長方形の形状を有するとよい。
【００１５】
１段目には、第１のユニットと、第１のユニットを挟んで一組の第２のユニットと、が配置され、２段目には、２つの第１のユニットが配置されるとよい。
【００１６】
１段目には、２つの第１のユニットが配置され、２段目には、第１のユニットと、第１のユニットを挟んで一組の第２のユニットと、が配置されるとよい。
【００１７】
前記支持板に対して垂直な方向から見て、長方形の形状を有する樹脂製ベッドであって、
前記支持板に対して垂直な方向から見て、前記支持ブロックは、第１の方向における長さが前記第１の方向に垂直な第２の方向における長さより長く、前記第１の方向を山の方向とし、
１段目に配置された前記ユニットの山の方向が短手方向であり、２段目に配置された前記ユニットの山の方向が長手方向であるとよい。
【００１８】
前記支持板に対して垂直な方向から見て、長方形の形状を有する樹脂製ベッドであって、
前記支持板に対して垂直な方向から見て、前記支持ブロックは、第１の方向における長さが前記第１の方向に垂直な第２の方向における長さより長く、前記第１の方向を山の方向とし、
１段目に配置された前記ユニットの山の方向が長手方向であり、２段目に配置された前記ユニットの山の方向が短手方向であるとよい。
【考案の効果】
【００１９】
本考案によれば、持運び、組み立てが簡単、容易であって、かつ速やかにできること、または再利用可能で、清潔に保てる樹脂製ベッドを提供することが可能になる。
【図面の簡単な説明】
【００２０】
【図１】本考案の実施の形態に係る樹脂製ベッドの一例を示す斜視図である。
【図２】本考案の実施の形態に係る樹脂製ベッドが備えるユニットの一例を示す斜視図である。
【図３】本考案の実施の形態に係る樹脂製ベッドが備える１段目のユニットの一例を示す上面図である。
【図４】本考案の実施の形態に係る樹脂製ベッドが備えるユニットの一例を示す拡大斜視図である。
【図５】本考案の実施の形態に係る樹脂製ベッドが備えるユニットの一例を示す拡大上面図である。
【図６】本考案の実施の形態に係る樹脂製ベッドが備えるユニットの一例を示すｘ方向から見た断面図である。
【図７】本考案の実施の形態に係る樹脂製ベッドが備えるユニットの一例を示すｙ方向から見た断面図である。
【図８】（Ａ）は、本考案の実施の形態に係る樹脂製ベッドが備える天板を示す正面図であり、（Ｂ）は、天板を示す上面図であり、（Ｃ）は、天板を示す側面図である。
【図９】本考案の実施の形態に係る樹脂製ベッドの使用状態の一例を示す図である。
【図１０】本考案の実施の形態に係る樹脂製ベッドの配置場所の一例を示す図である。
【図１１】変形例に係る樹脂製ベッドが備えるユニットの一例を示す斜視図である。
【図１２】変形例に係る樹脂製ベッドの一例を示す斜視図である。
【考案を実施するための形態】
【００２１】
以下、本考案を実施するための形態に係る樹脂製ベッドについて説明する。
【００２２】
実施の形態に係る樹脂製ベッド１００は、図１に示すように、２段に重ねられた複数のユニット１０と、複数のユニット１０の上に配置された複数の天板２０と、を備える。樹脂製ベッド１００は、持運び、組み立てが簡単、容易にできるベッドであり、災害時などに避難所で快適に睡眠するために用いられる。天板２０の上には、マット等が配置される。
【００２３】
理解を容易にするために、樹脂製ベッド１００の長手方向に延びる方向をｘ方向、短手方向に延びる方向をｙ方向、ｘ方向およびｙ方向に垂直な方向をｚ方向とする直交座標系を設定し、適宜参照する。
【００２４】
ユニット１０は、図２に示すように、第１のユニット１１ａ〜１１ｃと、第２のユニット１２ａ、１２ｂと、を含む。第１のユニット１１ａ〜１１ｃと第２のユニット１２ａ、１２ｂとは、それぞれポリエチレン、ポリ塩化ビニル、ポリスチレン、ポリプロピレン等の樹脂製であり一体成型される。１段目には、第１のユニット１１ａと、第１のユニット１１ａをｘ方向に挟んで第２のユニット１２ａ、１２ｂと、が配置される。２段目には、第１のユニット１１ｂおよび１１ｃが配置される。１段目に配置された第１のユニット１１ａと、２段目に配置された第１のユニット１１ｂおよび１１ｃとは、同一の大きさおよび同一形状を有する。第１のユニット１１ｂおよび１１ｃは、第１のユニット１１ａに対して、ｘｙ平面内で９０度回転して、後述する支持ブロック１５の配列方向を互いに９０度違えて配置されている。
【００２５】
第１のユニット１１ａは、支持板１３と、支持板１３の上に形成された第１の支持部１４ａおよび第２の支持部１４ｂと、を有する複数の支持ブロック１５を備える。第１の支持部１４ａと第２の支持部１４ｂとは、ｙ方向に並んで配置されている。第１の支持部１４ａと第２の支持部１４ｂとが並んで配置される方向を山の方向とする。このため、１段目の山の方向は、ｙ方向に表れる。第１のユニット１１ａが有する支持ブロック１５の個数は特に限定されないが、この例では、支持ブロック１５がｘ方向およびｙ方向にそれぞれ４つずつ並び、第１のユニット１１ａが計１６個の支持ブロック１５を有する例について説明する。なお、第２のユニット１２ａ、１２ｂには、支持ブロック１５がｘ方向に２つ、ｙ方向に４つ並び、山の方向がｙ方向に表れる計８個の支持ブロック１５を有する。
【００２６】
第１のユニット１１ａは、図３に示すように、ｚ方向から見て、辺の長さＬ１である略正方形の形状を有する。第２のユニット１２ａ、１２ｂは、ｚ方向から見て長辺が、第１のユニット１１ａの辺の長さと同じ長さＬ１であり、短辺の長さＬ２が第１のユニット１１ａの辺の長さＬ１の略２分の１である長方形の形状を有する。長さＬ１は、９００ｍｍ〜１１００ｍｍであり、長さＬ２は、４５０ｍｍ〜５５０ｍｍである。これにより、樹脂製ベッド１００の長手方向における長さは、１８００ｍｍ〜２２００ｍｍ、短手方向における長さは、９００ｍｍ〜１１００ｍｍとなる。
【００２７】
第１の支持部１４ａおよび第２の支持部１４ｂは、図４および図５に示すように、それぞれ、ｚ方向に進むにつれて断面が小さくなる錐台形状を有し、錐体面１６ａ、１６ｂと、上底１７ａ、１７ｂと、を有する。また、支持ブロック１５は、全体として錐台形状を有し、支持板１３との接続部分において、ｙ方向における長さＬ３がｘ方向における長さＬ４より長い。上底１７ａ、１７ｂには、大凸部１８ａ、１８ｂと、小凸部１９ａ、１９ｂと、が形成されている。大凸部１８ａは、上底１７ａにおいて、大凸部１８ｂに近い位置に配置され、大凸部１８ｂは、上底１７ｂにおいて、大凸部１８ａに近い位置に配置されている。小凸部１９ａは、上底１７ａにおいて、小凸部１９ｂから遠い位置に配置され、小凸部１９ｂは、上底１７ｂにおいて、小凸部１９ａから遠い位置に配置されている。言い換えると、小凸部１９ａ、大凸部１８ａ、大凸部１８ｂ、小凸部１９ｂが順にｙ方向に並んで配置される。図６、７に示すように、山の方向に垂直な方向において、大凸部１８ａの中心と大凸部１８ｂの中心とは、中心間隔Ｗ１を有して配置され、大凸部１８ａと大凸部１８ｂとは、間隔Ｗ２を有して配置される。
【００２８】
第１の支持部１４ａおよび第２の支持部１４ｂは、中空であり、下底は開放されている。また、支持板１３は、下面１３ａに、第１のユニット１１ａの小凸部１９ａ、１９ｂが嵌まる穴１３ｂ、１３ｃを有する。２段目の第１のユニット１１ｂ、１１ｃが、１段目の第１のユニット１１ａに重ねられると、１段目の第１のユニット１１ａの上底１７ａ、１７ｂは、少なくとも一部が２段目の第１のユニット１１ｂ、１１ｃの支持板１３の下面１３ａに当接する。１段目の第１のユニット１１ａの大凸部１８ａ、１８ｂは、２段目の第１のユニット１１ｂ、１１ｃの第１の支持部１４ａおよび第２の支持部１４ｂの下底の中空部分に嵌まる。１段目の第１のユニット１１ａの小凸部１９ａ、１９ｂは、それぞれ、２段目の支持板１３の下面１３ａに設けられた穴１３ｂ、１３ｃに嵌まる。これにより、第１のユニット１１ａが、第１のユニット１１ｂ、１１ｃの上に重ねられて安定して固定される。２段目の第１のユニット１１ｂ、１１ｃは、１段目の第１のユニット１１ａが配置された床から、１段目の第１のユニット１１ａの支持板１３から上底１７ａ、１７ｂまでの高さＨに配置される。これに対して、第１のユニット１１ａと同一の大きさおよび同一形状を有する２段目に配置される第１のユニット１１ｂおよび１１ｃを、山の方向を同じにして、第１のユニット１１ａに重ねると、下に配置された第１の支持部１４ａおよび第２の支持部１４ｂが上に配置される第１の支持部１４ａおよび第２の支持部１４ｂの中空部分に嵌まる。これにより、保管および持運び時には、嵩張らないようにすることができる。
【００２９】
天板２０は、図８に示すように、ｘ方向に延びる略長方形の平板状の部材であり、２段目に配置された第１のユニット１１ｂおよび１１ｃの上に配置されるものである。天板２０は、ポリエチレン、ポリ塩化ビニル、ポリスチレン、ポリプロピレン等の樹脂製であり一体成型される。天板２０の長手方向の長さＬ５は、好ましくは、第１のユニット１１ａの辺の長さＬ１と同じである。また、天板２０は、幅Ｗ３を有する幅広部２１と、幅Ｗ３より小さい幅Ｗ４を有する幅狭部２２と、を有する。幅Ｗ３は、大凸部１８ａの中心と大凸部１８ｂとの中心間隔Ｗ１と同じであることが好ましい。幅Ｗ４は、大凸部１８ａと大凸部１８ｂとの間隔Ｗ２と同じであることが好ましい。複数の天板２０が第１のユニット１１ｂおよび１１ｃの上に並べて配置されると、隣接する天板２０の幅広部２１同士は接触するか、小さい隙間ができる。これに対して、隣接する天板２０の幅狭部２２同士の間には、第１のユニット１１ｂ、１１ｃの大凸部１８ａ、１８ｂが配置される隙間ができる。隣接する天板２０の幅狭部２２同士の間にできた隙間に、第１のユニット１１ｂ、１１ｃの大凸部１８ａ、１８ｂが配置され、天板２０が、２段目に配置された第１のユニット１１ｂおよび１１ｃの上に固定される。また、天板２０は、複数の貫通孔２３が設けられている。これにより、天板２０は、ｚ方向に通気性を有し、樹脂製ベッド１００の上に人が寝たとき、寝汗などで蒸れることを防止できる。
【００３０】
つぎに、上述した樹脂製ベッド１００を組み立てる方法について説明する。
【００３１】
まず、図１に示す第１のユニット１１ａ〜１１ｃと、第２のユニット１２ａ、１２ｂと、複数の天板２０と、を準備する。第１のユニット１１ａ〜１１ｃと、第２のユニット１２ａ、１２ｂとは、山の方向を同じにして重ねると、下に配置された第１の支持部１４ａおよび第２の支持部１４ｂが上に配置される第１の支持部１４ａおよび第２の支持部１４ｂの中空部分に嵌まる。保管および持運び時には、山の方向を同じにして重ねることで、嵩張らないようにすることができる。
【００３２】
つぎに、樹脂製ベッド１００の組み立て部品を設置場所に運搬する。
【００３３】
つぎに、樹脂製ベッド１００の設置場所に、図３に示すように、１段目に、第１のユニット１１ａと、第２のユニット１２ａ、１２ｂと、を並べて配置する。このとき、山の方向がｙ軸方向に沿うように配置する。また、第２のユニット１２ａ、１２ｂの長辺が第１のユニット１１ａの辺に接触するように配置する。これにより、１段目の第１のユニット１１ａと、第２のユニット１２ａ、１２ｂと、が設置される。
【００３４】
つぎに、図２に示すように、２段目の第１のユニット１１ｂ、１１ｃを、１段目の第１のユニット１１ａと、第２のユニット１２ａ、１２ｂの上に重ねる。このとき、２段目の第１のユニット１１ｂ、１１ｃの山の方向を、１段目の第１のユニット１１ａと、第２のユニット１２ａ、１２ｂの山の方向に対して、９０度回転する。このようにすることで、図６および図７に示すように、１段目の第１のユニット１１ａの上底１７ａ、１７ｂは、２段目の第１のユニット１１ｂ、１１ｃの支持板１３の下面１３ａに当接する。１段目の第１のユニット１１ａの大凸部１８ａ、１８ｂは、２段目の第１のユニット１１ｂ、１１ｃの第１の支持部１４ａおよび第２の支持部１４ｂの下底の中空部分に嵌まる。１段目の第１のユニット１１ａの小凸部１９ａ、１９ｂは、それぞれ、２段目の支持板１３の下面１３ａに設けられた穴１３ｂ、１３ｃに嵌まる。これにより、第１のユニット１１ａが、第１のユニット１１ｂ、１１ｃの上に重ねられて安定して固定される。２段目のユニットの第１のユニット１１ｂ、１１ｃは、１段目の第１のユニット１１ａが配置された床から、１段目の第１のユニット１１ａの支持板１３から上底１７ａ、１７ｂまでの高さＨに配置される。
【００３５】
つぎに、天板２０を、図１に示すように、２段目の第１のユニット１１ｂ、１１ｃの上に配置する。複数の天板２０が第１のユニット１１ｂおよび１１ｃの上に並べて配置されると、隣接する天板２０の幅広部２１同士は接触するか、小さい隙間ができる。これに対して、隣接する天板２０の幅狭部２２同士の間には、第１のユニット１１ｂ、１１ｃの大凸部１８ａ、１８ｂが配置される隙間ができる。隣接する天板２０の幅狭部２２同士の間にできた隙間に、第１のユニット１１ｂ、１１ｃの大凸部１８ａ、１８ｂが配置され、天板２０が、２段目に配置された第１のユニット１１ｂおよび１１ｃの上に固定される。これにより、図９に示すように、樹脂製ベッド１００の組み立てが完了する。樹脂製ベッド１００の上には、寝心地をよくするため、マット２００などが配置される。また、樹脂製ベッド１００は、例えば、図１０に示すように、災害時などの避難所に設置されたパーティション３００で囲まれた内部に配置される。
【００３６】
以上のように、本実施の形態の樹脂製ベッド１００によれば、１段目の第１のユニット１１ａと、第２のユニット１２ａ、１２ｂと、の上に２段目の第１のユニット１１ｂ、１１ｃを重ねて配置し、２段目の第１のユニット１１ｂ、１１ｃの上に天板２０を配置することで、組み立てが簡単、容易であって、かつ速やかにできる。また、樹脂製ベッド１００は、第１のユニット１１ａ〜１１ｃと、第２のユニット１２ａ、１２ｂとを、山の方向を同じにして重ねることで、保管時に嵩張らないようにすることができ、持運びが容易である。また、第１のユニット１１ａ〜１１ｃと、第２のユニット１２ａ、１２ｂおよび天板２０は、ポリエチレン、ポリ塩化ビニル、ポリスチレン、ポリプロピレン等の樹脂製であり一体成型されるため、再利用可能で、清潔に保てる。また、天板２０は、複数の貫通孔２３が設けられている。これにより、天板２０は、ｚ方向に通気性を有し、樹脂製ベッド１００の上に人が寝たとき、寝汗などで蒸れることを防止できる。
【００３７】
（変形例）
上述の実施の形態では、１段目の第１のユニット１１ａおよび第２のユニット１２ａ、１２ｂの山の方向が、ｙ方向に表れ、２段目の第１のユニット１１ｂ、１１ｃの山の方向が、ｘ方向に表れる例について説明した。この場合、天板２０は、図１ように、長手方向がｘ方向に沿って配置される。２段目の第１のユニット１１ｂ、１１ｃは、１段目の第１のユニット１１ａおよび第２のユニット１２ａ、１２ｂに重ねて配置することができればよい。
【００３８】
例えば、図１１に示すように、１段目の第１のユニット１１’ａおよび第２のユニット１２’ａ、１２’ｂの山の方向が、ｘ方向に表れ、２段目の第１のユニット１１’ｂ、１１’ｃの山の方向が、ｙ方向に表れてもよい。この場合、天板２０は、図１２のように、長手方向がｙ方向に沿って配置される。なお、第２のユニット１２’ａ、１２’ｂは、第２のユニット１２ａ、１２ｂと同様に、第１のユニット１１’ａ〜１１’ｃを半裁した形状であるが、切断の方向が９０度異なっており、山の連なり方向Ｑが異なる（図１および図１１を参照）。
【００３９】
上述の実施の形態では、１段目に第１のユニット１１ａ（または１１’ａ）および第２のユニット１２ａ、１２ｂ（または１２’ａ、１２’ｂ）の３つが配置され、２段目に第１のユニット１１ｂ、１１ｃ（または１１’ｂ、１１’ｃ）の２つが配置される例について説明した。１段目および２段目に配置される第１のユニット１１ａ〜１１ｃ（または１１’ａ〜１１’ｃ）および第２のユニット１２ａ、１２ｂ（または１２’ａ、１２’ｂ）の個数は特に限定されない。例えば、１段目に第１のユニット１１ｂ、１１ｃ（または１１’ｂ、１１’ｃ）の２つが配置され、２段目に第１のユニット１１ａ（または１１’ａ）および第２のユニット１２ａ、１２ｂ（または１２’ａ、１２’ｂ）の３つが配置されてもよい。このようにしたとしても、同様の樹脂製ベッド１００が得られる。
【００４０】
以上、本考案の好ましい実施形態について説明したが、本考案は係る特定の実施形態に限定されるものではなく、本考案には、実用新案登録請求の範囲に記載された考案とその均等の範囲とが含まれる。
【符号の説明】
【００４１】
１０…ユニット
１１ａ、１１ｂ、１１ｃ…第１のユニット
１１’ａ、１１’ｂ、１１’ｃ…第１のユニット
１２ａ、１２ｂ…第２のユニット
１２’ａ、１２’ｂ…第２のユニット
１３…支持板
１３ａ…下面
１３ｂ、１３ｃ…穴
１４ａ…第１の支持部
１４ｂ…第２の支持部
１５…支持ブロック
１６ａ、１６ｂ…錐体面
１７ａ、１７ｂ…上底
１８ａ、１８ｂ…大凸部
１９ａ、１９ｂ…小凸部
２０…天板
２１…幅広部
２２…幅狭部
２３…貫通孔
１００…樹脂製ベッド
２００…マット
３００…パーティション
Ｌ１〜Ｌ５…長さ
Ｗ１…中心間隔
Ｗ２…間隔
Ｗ３、Ｗ４…幅
Ｈ…高さ
Ｑ…連なり方向
【図１】
0003228667.tif 000003
【図２】
0003228667.tif 000004
【図３】
0003228667.tif 000005
【図４】
0003228667.tif 000006
【図５】
0003228667.tif 000007
【図６】
0003228667.tif 000008
【図７】
0003228667.tif 000009
【図８】
0003228667.tif 000010
【図９】
0003228667.tif 000011
【図１０】
0003228667.tif 000012
【図１１】
0003228667.tif 000013
【図１２】
0003228667.tif 000014